(57)【要約】【課題】スライド構造を持つ携帯無線機であって、高いアンテナ性能が得られるとともに、無線機本体の小型化が図れ、さらに開きスライド時に下筐体から上筐体に直接給電するための接続点を必要としない携帯無線機を提供する。【解決手段】第２の基板１１１の正面にスロット１１２を設ける一方、背面にマイクロストリップ線路１１３を設け、開スライド時に第１の基板１０１とスロット１１２が筐体厚み方向において対向するようにし、また第１の基板１０１とマイクロストリップ線路１１３が平行になるようにして、マイクロストリップ線路１１３と第１の基板１０１とを高周波的に結合させるようにする。これにより、マイクロストリップ線路１１３と、第１の基板１０１のグランドパターンと、誘電体（第２の基板１１１を構成するガラスエポキシ樹脂等）とでパッチアンテナが構成され、高いアンテナ性能が得られる。【選択図】図１
2011146781.tif 000002
【特許請求の範囲】
【請求項１】
スライド構造の携帯無線機において、
第１の筐体と、
第２の筐体と、
前記第１の筐体内に配置された第１の基板と、
前記第２の筐体内に配置された第２の基板と、
前記第２の基板の正面に配置されたスロットと、
前記第２の基板の背面に配置されたマイクロストリップ線路と、
前記第２の基板から前記マイクロストリップ線路へ給電する給電部と、を備え、
前記第１の筐体と前記第２の筐体とが伸長状態にあるときに、
前記第１の基板と前記スロットが筐体厚み方向において対向位置にあり、
前記第１の基板と前記マイクロストリップ線路が平行にある携帯無線機。
【請求項２】
請求項１に記載の携帯無線機であって、
前記第１の筐体と前記第２の筐体との間にスライド機構を備え、
前記スライド機構は、前記第１の基板と平行な金属部材で構成され、前記第１の基板と電気的に接続する手段を備える携帯無線機。
【請求項３】
請求項１に記載の携帯無線機であって、
前記第１の筐体と前記第２の筐体との間にスライド機構を備え、
前記スライド機構は、前記スロットの開口面積及び位置において同等の開口部を有する携帯無線機。
【請求項４】
請求項１に記載の携帯無線機であって、
前記給電部と前記マイクロストリップ線路はリアクタンス素子を介して接続される携帯無線機。
【請求項５】
請求項１に記載の携帯無線機であって、
前記マイクロストリップ線路の開放端は前記第２の基板へ接地される携帯無線機。
【請求項６】
請求項５に記載の携帯無線機であって、
前記マイクロストリップ線路の開放端はリアクタンス素子を介して前記第２の基板へ接地される携帯無線機。
【請求項７】
請求項１に記載の携帯無線機であって、
前記第１の基板に第１のグランドパターンと第２のグランドパターンを設け、
前記第１のグランドパターン又は前記第２のグランドパターンと前記スロットは筐体厚み方向において対向位置にある携帯無線機。
【請求項８】
請求項７に記載の携帯無線機であって、
前記第１のグランドパターンと前記第２のグランドパターンとは一部分で接続された携帯無線機。
【請求項９】
請求項７に記載の携帯無線機であって、
前記第１のグランドパターンと前記第２のグランドパターンとはリアクタンス素子を介して接続された携帯無線機。
【請求項１０】
請求項７に記載の携帯無線機であって、
前記第１のグランドパターンと前記第２のグランドパターンとは遮断回路を介して接続された携帯無線機。
【発明の詳細な説明】
【技術分野】
【０００１】
本発明は、携帯電話機等の携帯無線機に関し、特に上筐体と下筐体の２つの筐体からなり、一方の筐体に対して他方の筐体をスライドさせることで開閉するスライド構造を持つ携帯無線機に関する。
【背景技術】
【０００２】
上述したスライド構造の携帯無線機として、例えば特許文献１、２で開示されたものが知られている。そして、特許文献１には、開きスライド時に下筐体内から上筐体内の上基板に直接給電してダイポールアンテナを構成する点が記載されている。特許文献２には、上下筐体間の接続導体に近接して配置され、その一部が上下筐体のいずれか一方に接地された結合導体を配置することで、上下筐体の接続インピーダンスをアンテナの性能上、最適に設計する点が記載されている。
【先行技術文献】
【特許文献】
【０００３】
【特許文献１】特開２００６−２８７８２７号公報
【特許文献２】特開２００８−０２２１３９号公報
【発明の概要】
【発明が解決しようとする課題】
【０００４】
しかしながら、特許文献１で開示された携帯端末装置は、開状態で上下筐体が重なる部分が必ず存在するため、上下筐体が互いの電流を打ち消し合って必ずしも高い性能が得られない。また、開きスライド時に下筐体から上筐体に直接給電するために上下筐体の摺動部を介して接続点を設ける必要があり、構造的に実現が困難である。また、閉じ用に別途専用のアンテナ素子が必要であり、小型化を阻害する。
【０００５】
特許文献２で開示された無線端末装置は、専用のアンテナ素子や結合導体を必要とするので、その分、小型化が図れない。
【０００６】
本発明は、係る事情に鑑みてなされたものであり、スライド構造を持つ携帯無線機であって、高いアンテナ性能が得られるとともに、無線機本体の小型化が図れ、さらに開きスライド時に下筐体から上筐体に直接給電するための接続点を必要としない携帯無線機を提供することを目的とする。
【課題を解決するための手段】
【０００７】
本発明の携帯無線機は、スライド構造の携帯無線機において、第１の筐体と、第２の筐体と、前記第１の筐体内に配置された第１の基板と、前記第２の筐体内に配置された第２の基板と、前記第２の基板の正面に配置されたスロットと、前記第２の基板の背面に配置されたマイクロストリップ線路と、前記第２の基板から前記マイクロストリップ線路へ給電する給電部と、を備え、前記第１の筐体と前記第２の筐体とが伸長状態にあるときに、前記第１の基板と前記スロットが筐体厚み方向において対向位置にあり、前記第１の基板と前記マイクロストリップ線路が平行にある。
【０００８】
上記構成によれば、第１の筐体（上筐体）と第２の筐体（下筐体）とが重なる部分の第２の筐体内の第２の基板の正面にスロット（開口部）を設けるとともに、第２の基板の背面にマイクロストリップ線路を設けて、スロットを通してマイクロストリップ線路と第１の基板を高周波的に結合させるので、パッチアンテナとして動作させることができ、これにより高いアンテナ性能が得られる。また、従来必要とした、開きスライド時に第２の筐体（下筐体）から第１の筐体（上筐体）に直接給電するための接続点を必要とせず、さらに閉じ用に別途専用のアンテナ素子を必要としないため、小型化が図れるとともに、コストの削減が可能となる。
【０００９】
上記構成において、前記第１の筐体と前記第２の筐体との間にスライド機構を備え、前記スライド機構は、前記第１の基板と平行な金属部材で構成され、前記第１の基板と電気的に接続する手段を備える。
【００１０】
上記構成によれば、第１の筐体と第２の筐体との間に備えられたスライド機構が第１の基板と電気的に接続されているので、第１の基板の他にスライド機構もアンテナとして活用することができ、さらに高いアンテナ性能が得られる。
【００１１】
上記構成において、前記第１の筐体と前記第２の筐体との間にスライド機構を備え、前記スライド機構は、前記スロットの開口面積及び位置において同等の開口部を有する。
【００１２】
上記構成によれば、第２の基板のスロットの開口面積及び位置において同等の開口部がスライド機構に設けられているので、スライド機構のアンテナ素子としての利用を不能にできる。
【００１３】
上記構成において、前記給電部と前記マイクロストリップ線路はリアクタンス素子を介して接続される。
【００１４】
上記構成によれば、リアクタンス素子による電気長の調整が可能となり、スロットの位置を移動させることなくスロットとの位置関係を調整することができる。
【００１５】
上記構成において、前記マイクロストリップ線路の開放端は前記第２の基板へ接地される。
【００１６】
上記構成によれば、終端による電気長の調整が可能となり、スロットの位置を移動させることなくスロットとの位置関係を調整することができる。
【００１７】
上記構成において、前記マイクロストリップ線路の開放端はリアクタンス素子を介して前記第２の基板へ接地される。
【００１８】
上記構成によれば、終端に加えて、リアクタンス素子による電気長の調整が可能となり、スロットの位置を移動させることなくスロットとの位置関係を調整することができる。
【００１９】
上記構成において、前記第１の基板に第１のグランドパターンと第２のグランドパターンを設け、前記第１のグランドパターン又は前記第２のグランドパターンと前記スロットは筐体厚み方向において対向位置にある。
【００２０】
上記構成によれば、第１の基板に第１のグランドパターンと第２のグランドパターンとが設けられ、そのうちの第２の基板のスロットと筐体厚み方向において対向位置にある方のグランドパターンの大きさを変えることで、共振周波数を調整することができる。
【００２１】
上記構成において、前記第１のグランドパターンと前記第２のグランドパターンとは一部分で接続された。
【００２２】
上記構成によれば、第１のグランドパターンと第２のグランドパターンとを接続する一部分を形成するためのスリット部分の大きさを変えることで、スロットと筐体厚み方向において対向位置にある方（アンテナ素子となる方のグランドパターン）の大きさを変えることができ、共振周波数の調整が可能となる。
【００２３】
上記構成において、前記第１のグランドパターンと前記第２のグランドパターンとはリアクタンス素子を介して接続された。
【００２４】
上記構成によれば、スロットと筐体厚み方向において対向位置にある方（アンテナ素子となる方のグランドパターン）の大きさを変える以外に、リアクタンス素子による共振周波数の調整も可能となる。
【００２５】
上記構成において、前記第１のグランドパターンと前記第２のグランドパターンとは遮断回路を介して接続された。
【００２６】
上記構成によれば、第１のグランドパターンと第２のグランドパターンとの間に設けられた遮断回路によって、２つの周波数帯に共振させることができる。また、第１のグランドパターン及び第２のグランドパターンのそれぞれの大きさを変えることで共振周波数の調整も可能となる。
【発明の効果】
【００２７】
本発明は、スライド構造を持つ携帯無線機であって、高いアンテナ性能が得られるとともに、無線機本体の小型化が図れ、さらに開きスライド時に下筐体から上筐体に直接給電するための接続点を必要としない。
【図面の簡単な説明】
【００２８】
【図１】本発明の実施の形態１に係る携帯無線機の内部の概略構成を示す図であり、（ａ）は正面図、（ｂ）は側面図、（ｃ）は背面図
【図２】図１の携帯無線機の第２の基板におけるスロットとマイクロストリップ線路の位置関係を示す図
【図３】本発明の実施の形態２に係る携帯無線機の上下筐体と上下筐体内の基板の概略を示す図であり、（ａ）は側面図、（ｂ）は第２の筐体を外したときの背面図
【図４】本発明の実施の形態３に係る携帯無線機の上下筐体と上下筐体内の基板の概略を示す図であり、（ａ）は側面図、（ｂ）は第２の筐体を外したときの背面図
【図５】本発明の実施の形態４に係る携帯無線機の第２の基板を示す図であり、（ａ）は正面図、（ｂ）は背面図
【図６】本発明の実施の形態５に係る携帯無線機の第２の基板を示す図であり、（ａ）は正面図、（ｂ）は背面図
【図７】本発明の実施の形態６に係る携帯無線機の第２の基板を示す図であり、（ａ）は正面図、（ｂ）は背面図
【図８】本発明の実施の形態７に係る携帯無線機の上下筐体と上下筐体内の基板の概略を示す図であり、（ａ）は正面図、（ｂ）は側面図、（ｃ）は背面図
【図９】図８の第１の基板のグランドパターンの変形例を示す図
【図１０】本発明の実施の形態８に係る携帯無線機の上下筐体と上下筐体内の基板の概略を示す図であり、（ａ）は正面図、（ｂ）は側面図、（ｃ）は背面図
【図１１】図１０の第１の基板のグランドパターンの変形例を示す図
【図１２】本発明の実施の形態９に係る携帯無線機の上下筐体と上下筐体内の基板の概略を示す図であり、（ａ）は正面図、（ｂ）は側面図、（ｃ）は背面図
【図１３】図１２の第１の基板のグランドパターンの変形例を示す図
【図１４】本発明の実施の形態１０に係る携帯無線機の上下筐体と上下筐体内の基板の概略を示す図であり、（ａ）は正面図、（ｂ）は側面図、（ｃ）は背面図
【図１５】図１４の遮断回路の周波数特性の一例を示す図
【図１６】図１４の遮断回路の一例をアンテナ間に設けた概略図
【図１７】図１４の第１の基板のグランドパターンの変形例を示す図
【発明を実施するための形態】
【００２９】
以下、本発明を実施するための好適な実施の形態について、図面を参照して詳細に説明する。
【００３０】
（実施の形態１）
図１は、本発明の実施の形態１に係る携帯無線機の上下筐体と上下筐体内の基板の概略を示す図であり、（ａ）は正面図、（ｂ）は側面図、（ｃ）は背面図である。同図において、本実施の形態の携帯無線機１は、第１の筐体（上筐体）１０と第２の筐体（下筐体）１１の２つの筐体からなり、第２の筐体１１に対して第１の筐体１０をスライドさせることで開閉するスライド構造を有する。第１の筐体１０内には、第１の筐体１０の略全領域に広がる大きさに形成された第１の基板１０１が設けられており、第２の筐体１１内には、第１の基板１０１より長手方向の長さを若干短くした第２の基板１１１が設けられている。
【００３１】
第２の基板１１１の上半分の部分の正面（第１の基板１０１に対向する面）には帯状のスロット（開口部）１１２が配置されており（図２参照）、またスロット１１２と同位置で第２の基板１１１の背面にはマイクロストリップ線路１１３が配置されている。図２は第２の基板１１１におけるスロット１１２とマイクロストリップ線路１１３の位置関係を示す図であり、（ａ）は正面図、（ｂ）は背面図である。本実施の形態の携帯無線機１は、少なくとも第２の基板１１１が多層基板であり、スロット１１２が設けられている層の面とマイクロストリップ線路１１３が設けられている層の面の大部分にグランドパターン１１５、１１６（図２参照）が形成されている。
【００３２】
第１の筐体１０と第２の筐体１１を伸長させたときに（開きスライド時に）、第１の基板１０１とスロット１１２が筐体厚み方向において対向し、また第１の基板１０１とマイクロストリップ線路１１３が平行になる。このように、開きスライド時に、マイクロストリップ線路１１３と、第１の基板１０１のグランドパターンと、誘電体（第２の基板１１１を構成するガラスエポキシ樹脂等）とでパッチアンテナを構成する。第２の基板１１１には第２の基板１１１からマイクロストリップ線路１１３へ給電する給電部１１４が設けられている。
【００３３】
このように本実施の形態の携帯無線機１によれば、第１の筐体１０と第２の筐体１１の重なり部分を給電構造として利用し、この重なり部分にスロット１１２とマイクロストリップ線路１１３を設けて、マイクロストリップ線路１１３と第１の基板１０１とを高周波的に結合させることでパッチアンテナを構成するので、高いアンテナ性能が得られる。
【００３４】
また、従来必要とした、開きスライド時に第２の筐体（下筐体）から第１の筐体（上筐体）に直接給電するための接続点を必要とせず、さらに閉じ用に別途専用のアンテナ素子を必要としないため、小型化が図れるとともに、コストの削減が可能となる。
【００３５】
（実施の形態２）
図３は、本発明の実施の形態２に係る携帯無線機の上下筐体と上下筐体内の基板の概略を示す図であり、（ａ）は側面図、（ｂ）は第２の筐体を外したときの背面図である。なお、図３において前述した図１と共通する部分には同一の符号を付けている。また、本実施の形態の携帯無線機２も実施の形態１の携帯無線機１と同様のスライド構造を持つものである。
【００３６】
本実施の形態の携帯無線機２は、スロット１１２とマイクロストリップ線路１１３が設けられた第２の基板１１１を備えるとともに、第１の筐体１０と第２の筐体１１との間にスライド機構１３を備える。スライド機構１３は、第１の基板１０１と平行な金属部材で構成され、第１の基板１０１と３箇所で電気的に接続する金属製の接続部材１３１を備えている。スライド機構１３を第１の基板１０１と電気的に接続することで第１の基板１０１の他に、スライド機構１３もアンテナとして活用することができ、さらに高いアンテナ性能が得られる。
【００３７】
（実施の形態３）
図４は、本発明の実施の形態３に係る携帯無線機の上下筐体と上下筐体内の基板の概略を示す図であり、（ａ）は側面図、（ｂ）は第２の筐体を外したときの背面図である。なお、図４において前述した図１と共通する部分には同一の符号を付けている。また、本実施の形態の携帯無線機３も実施の形態１の携帯無線機１と同様のスライド構造を持つものである。
【００３８】
本実施の形態の携帯無線機３は、スロット１１２とマイクロストリップ線路１１３が設けられた第２の基板１１１を備えるとともに、第１の筐体１０と第２の筐体１１との間にスライド機構１４を備えるものである。スライド機構１４は、スロット１１２の開口面積及び位置において同等の開口部１４１を有する。スライド機構１４に開口部１４１を設けることで、スライド機構１４のアンテナとしての利用を不能にでき、実施の形態１の携帯無線機１と同様に、マイクロストリップ線路１１３と第１の基板１０１のグランドパターンと誘電体（第２の基板１１１を構成するガラスエポキシ樹脂等）とにより、パッチアンテナが構成される。したがって、本実施の形態の携帯無線機３においても高いアンテナ性能が得られる。
【００３９】
（実施の形態４）
図５は、本発明の実施の形態４に係る携帯無線機の第２の基板を示す図であり、（ａ）は正面図、（ｂ）は背面図である。なお、図５において前述した図１と共通する部分には同一の符号を付けている。また、本実施の形態の携帯無線機４も実施の形態１の携帯無線機１と同様のスライド構造を持つものである。
【００４０】
本実施の形態の携帯無線機４は、マイクロストリップ線路１１３と給電部１１４との間にリアクタンス素子１１８を設けた第２の基板１１１Ａを備えるものである。マイクロストリップ線路１１３と給電部１１４との間にリアクタンス素子１１８を設けることで、このリアクタンス素子１１８による電気長の調整が可能となる。これにより、スロット１１２の位置を移動させることなく、スロット１１２との位置関係を調整することができる。
【００４１】
（実施の形態５）
図６は、本発明の実施の形態５に係る携帯無線機の第２の基板を示す図であり、（ａ）は正面図、（ｂ）は背面図である。なお、図６において前述した図１と共通する部分には同一の符号を付けている。また、本実施の形態の携帯無線機５も実施の形態１の携帯無線機１と同様のスライド構造を持つものである。
【００４２】
本実施の形態の携帯無線機５は、マイクロストリップ線路１１３の開放端（給電部１１４に接続されている端と反対側の端）１１３ａをグランドパターン１１６に接続した第２の基板１１１Ｂを備えるものである。マイクロストリップ線路１１３の開放端１１３ａをグランドパターンに接続（即ち接地）することで、終端による電気長の調整が可能となる。これにより、スロット１１２の位置を移動させることなく、スロット１１２との位置関係を調整することができる。
【００４３】
（実施の形態６）
図７は、本発明の実施の形態６に係る携帯無線機の第２の基板を示す図であり、（ａ）は正面図、（ｂ）は背面図である。なお、図７において前述した図１と共通する部分には同一の符号を付けている。また、本実施の形態の携帯無線機６も実施の形態１の携帯無線機１と同様のスライド構造を持つものである。
【００４４】
本実施の形態の携帯無線機６は、マイクロストリップ線路１１３の開放端１１３ａとグランドパターン１１６との間にリアクタンス素子１１８を設けた第２の基板１１１Ｃを備えるものである。マイクロストリップ線路１１３の開放端１１３ａを、リアクタンス素子１１８を介してグランドパターン１１６に接続（即ち接地）することで、終端に加えて、リアクタンス素子１１８による電気長の調整が可能となる。これにより、スロット１１２の位置を移動させることなく、スロット１１２との位置関係を調整することができる。
【００４５】
（実施の形態７）
図８は、本発明の実施の形態７に係る携帯無線機の上下筐体と上下筐体内の基板の概略を示す図であり、（ａ）は正面図、（ｂ）は側面図、（ｃ）は背面図である。なお、図８において前述した図１と共通する部分には同一の符号を付けている。また、本実施の形態の携帯無線機７も実施の形態１の携帯無線機１と同様のスライド構造を持つものである。
【００４６】
本実施の形態の携帯無線機７は、第１のグランドパターン１０１１と第２のグランドパターン１０１２の２つのグランドパターンを有する第１の基板１０１Ａを備えている。上側に位置する第１のグランドパターン１０１１をグランドとして使用し、下側に位置する第２のグランドパターン１０１２をアンテナ素子として使用する。第２のグランドパターン１０１２は、第１の筐体１０と第２の筐体１１を伸長させたときに、第２の基板１１１のスロット１１２と筐体厚み方向において対向する位置に来る。このアンテナ素子として使用する第２のグランドパターン１０１２の大きさを変えることで、共振周波数を調整することができる。
【００４７】
なお、第１の基板１０１Ａにおけるグランドパターンの分け方は、上述したような上下２分割したものに限定されるものではなく、例えば図９に示すように、基板中央より下側の中央部分に方形状の第２のグランドパターン１０１２Ａを設け、その第２のグランドパターン１０１２Ａの周囲を囲むとともに基板全域に亘る第１のグランドパターン１０１１Ａを設けることも可能である。
【００４８】
（実施の形態８）
図１０は、本発明の実施の形態８に係る携帯無線機の上下筐体と上下筐体内の基板の概略を示す図であり、（ａ）は正面図、（ｂ）は側面図、（ｃ）は背面図である。なお、図１０において前述した図１及び図８と共通する部分には同一の符号を付けている。また、本実施の形態の携帯無線機８も実施の形態１の携帯無線機１と同様のスライド構造を持つものである。
【００４９】
本実施の形態の携帯無線機８は、第１のグランドパターン１０１１と第２のグランドパターン１０１２とを有するとともに、これらのパターンを一部分１０１３で接続した第１の基板１０１Ｂを備えている。第１のグランドパターン１０１１と第２のグランドパターン１０１２を一部で接続しても、前述した実施の形態７の携帯無線機７と同様にスロット１１２と筐体厚み方向において対向位置にある方（即ちアンテナ素子となる方、本実施の形態では第２のグランドパターン１０１２）の大きさを変えることで、共振周波数を調整することができる。一部分１０１３を形成することになるスリット部分１０１３Ａの大きさを変えることで、第２のグランドパターン１０１２の大きさを変えることができる。
【００５０】
なお、第１の基板１０１Ｂにおけるグランドパターンの分け方は、上述したような上下２分割したものに限定されるものではなく、例えば図１１に示すように、基板中央より下側の中央部分に方形状の第２のグランドパターン１０１２Ａを設け、その第２のグランドパターン１０１２Ａの周囲を囲むとともに基板全域に亘る第１のグランドパターン１０１１Ａを設けることも可能である。勿論、第１のグランドパターン１０１１Ａと第２のグランドパターン１０１２Ａとを一部分１０１３で接続する。
【００５１】
（実施の形態９）
図１２は、本発明の実施の形態９に係る携帯無線機の上下筐体と上下筐体内の基板の概略を示す図であり、（ａ）は正面図、（ｂ）は側面図、（ｃ）は背面図である。なお、図１２において前述した図１、図５及び図８と共通する部分には同一の符号を付けている。また、本実施の形態の携帯無線機９も実施の形態１の携帯無線機１と同様のスライド構造を持つものである。
【００５２】
本実施の形態の携帯無線機９は、第１のグランドパターン１０１１と第２のグランドパターン１０１２とを有するとともに、これらのパターンをリアクタンス素子１１８で接続した第１の基板１０１Ｃを備えている。第１のグランドパターン１０１１と第２のグランドパターン１０１２とをリアクタンス素子１１８を介して接続することで、第２のグランドパターン１０１２の大きさを変える以外に、リアクタンス素子１１８による共振周波数の調整も可能となる。
【００５３】
なお、第１の基板１０１Ｃにおけるグランドパターンの分け方は、上述したような上下２分割したものに限定されるものではなく、例えば図１３に示すように、基板中央より下側の中央部分に方形状の第２のグランドパターン１０１２Ａを設け、その第２のグランドパターン１０１２Ａの周囲を囲むとともに基板全域に亘る第１のグランドパターン１０１１Ａを設けることも可能である。勿論、第１のグランドパターン１０１１Ａと第２のグランドパターン１０１２Ａとをリアクタンス素子１１８を介して接続する。
【００５４】
（実施の形態１０）
図１４は、本発明の実施の形態１０に係る携帯無線機の上下筐体と上下筐体内の基板の概略を示す図であり、（ａ）は正面図、（ｂ）は側面図、（ｃ）は背面図である。なお、図１４において前述した図１及び図８と共通する部分には同一の符号を付けている。また、本実施の形態の携帯無線機１５も実施の形態１の携帯無線機１と同様のスライド構造を持つものである。
【００５５】
本実施の形態の携帯無線機１５は、第１のグランドパターン１０１１と第２のグランドパターン１０１２とを有するとともに、これらのパターンを遮断回路１２０で接続した第１の基板１０１Ｄを備えている。第１のグランドパターン１０１１と第２のグランドパターン１０１２とを遮断回路１２０を介して接続することで、第１のグランドパターン１０１１及び第２のグランドパターン１０１２のそれぞれの大きさを変えることで複数の周波数に共振させることができる。
【００５６】
ここで、遮断回路１２０について説明する。携帯電話のセルラーに用いられる周波数は、８００ＭＨｚ、１．７ＧＨｚ、２ＧＨｚなどがある。図１５に示すような周波数特性を持ったＬＣ並列共振回路を遮断回路１２０としてアンテナ間に設けることで、２つの周波数帯に共振するアンテナが得られる。図１５に示すような周波数特性を持ったＬＣ並列共振回路を図１６に示すようにアンテナ間に設けた場合、８００ＭＨｚ帯の周波数は遮断されないので通過して全体が８００ＭＨｚ帯のアンテナとして動作し、１．７〜２ＧＨｚ帯の周波数は遮断されるので給電部側がアンテナとして動作する。
【００５７】
このように、第１のグランドパターン１０１１と第２のグランドパターン１０１２とを遮断回路１２０を介して接続することで、２つの周波数帯に共振させることができる。そして、第１のグランドパターン１０１１及び第２のグランドパターン１０１２のそれぞれの大きさを変えることで共振する周波数帯の調整が可能となる。
【００５８】
なお、第１の基板１０１Ｄにおけるグランドパターンの分け方は、上述したような上下２分割したものに限定されるものではなく、例えば図１７に示すように、基板中央より下側の中央部分に方形状の第２のグランドパターン１０１２Ａを設け、その第２のグランドパターン１０１２Ａの周囲を囲むとともに基板全域に亘る第１のグランドパターン１０１１Ａを設けることも可能である。勿論、第１のグランドパターン１０１１Ａと第２のグランドパターン１０１２Ａとを遮断回路１２０を介して接続する。
【産業上の利用可能性】
【００５９】
本発明は、高いアンテナ性能が得られるとともに、無線機本体の小型化が図れ、さらに開きスライド時に下筐体から上筐体に直接給電するための接続点を必要としないといった効果を有し、スライド構造を持つ携帯無線機への適用が可能である。
【符号の説明】
【００６０】
１、２、３、４、５、６、７、８、９、１５  携帯無線機
１０  第１の筐体
１１  第２の筐体
１３、１４  スライド機構
１０１、１０１Ａ、１０１Ｂ、１０１Ｃ、１０１Ｄ  第１の基板
１１１、１１１Ａ、１１１Ｂ、１１１Ｃ  第２の基板
１１２  スロット
１１３  マイクロストリップ線路
１１４  給電部
１１５、１１６  グランドパターン
１１８  リアクタンス素子
１２０  遮断回路
１３１  接続部材
１４１  開口部
１０１１、１０１１Ａ  第１のグランドパターン
１０１２、１０１２Ａ  第２のグランドパターン
１０１３  一部分
１０１３Ａ  スリット部分
【図１】
2011146781.tif 000003
【図２】
2011146781.tif 000004
【図３】
2011146781.tif 000005
【図４】
2011146781.tif 000006
【図５】
2011146781.tif 000007
【図６】
2011146781.tif 000008
【図７】
2011146781.tif 000009
【図８】
2011146781.tif 000010
【図９】
2011146781.tif 000011
【図１０】
2011146781.tif 000012
【図１１】
2011146781.tif 000013
【図１２】
2011146781.tif 000014
【図１３】
2011146781.tif 000015
【図１４】
2011146781.tif 000016
【図１５】
2011146781.tif 000017
【図１６】
2011146781.tif 000018
【図１７】
2011146781.tif 000019